(57)【要約】【課題】通常時はボルトの回転を阻止することができ、かつ、ボルトの着脱作業に支障のないボルトの回り止め構造を提供する。【解決手段】被締結部２と締結具１５が外嵌させられるボルト１の頭部３とのいずれか一方に設けられた止め部１３と、被締結部２と頭部３とのいずれか他方に、止め部１３に向けて弾性力によって突出することにより止め部１３に係合してボルト１を回り止めする弾性部材７とを備え、ボルト１の頭部３に締結具１５を外嵌させることにより、弾性部材７をボルト１の半径方向に変形させて止め部１３と弾性部材７との係合状態を解除するように構成されている。【選択図】図１
2015117756.tif 000002
【特許請求の範囲】
【請求項１】
被締結部に締結されるボルトの回り止め構造において、
前記被締結部と締結具が外嵌させられる前記ボルトの頭部とのいずれか一方に設けられた止め部と、
前記被締結部と前記頭部とのいずれか他方に、前記止め部に向けて弾性力によって突出することにより前記止め部に係合して前記ボルトを回り止めする弾性部材とを備え、
前記ボルトの頭部に前記締結具を外嵌させることにより、前記弾性部材を前記ボルトの半径方向に変形させて前記止め部と前記弾性部材との係合状態を解除するように構成されていることを特徴とするボルトの回り止め構造。
【発明の詳細な説明】
【技術分野】
【０００１】
この発明は、被締結部に締結されたボルトの回転を止める構造に関するものである。
【背景技術】
【０００２】
この種の構造の一例が特許文献１に記載されている。その特許文献１には、ボルトの頭部の下側に、半径方向で外側に延びる回り止めプレートが設けられたボルトが記載されている。また、上記の回り止めプレートが当接するフランジが、ボルトが挿入されるボルト孔に接近して設けられている。なお、上述したボルト孔やフランジは、特許文献１に記載された構造では、車両のサイドメンバに設けられている。またボルト孔に挿入したボルトのネジ部の先端部を、被締結部に形成したボルト孔に貫通させ、その先端部をナットによって締め付けるように構成されている。そのため、特許文献１に記載された構成によれば、ナットを締め付けることに伴ってボルトが回転する場合に、回り止めプレートがフランジに当接するため、ボルトの回転を阻止することができる。その結果、ナットを締め付けるのみの作業によってボルトを締め付けることができる、としている。
【０００３】
また、特許文献２には、複数のボルトの角頭部を着脱可能に保持するとともに、ボルトにナットを締め付ける場合におけるボルトの回転を止める共回り防止具が記載されている。その構成について簡単に説明すると、上記の共回り防止具は、ボルトの角頭部が嵌合する複数のボルト着脱部と、ボルト着脱部同士を連結する腕部とによって構成されている。各ボルト着脱部は、角頭部に嵌まり合う角孔と、その角孔の壁面の全周に亘って形成された環状溝と、その環状溝に収容された環状の弾性体とを備えている。一方、ボルトの角頭部には凹部が形成されており、その凹部に上述した弾性体が係合するように構成されている。そのため、特許文献２に記載された構成によれば、ボルト着脱部に角頭部を挿入すると、その角頭部の凹部に弾性体が嵌合し、これにより共回り防止具にボルトを保持することができる、としている。またこの状態で被締付部材の孔部に各ボルトを挿入してこれをナットで締め付けるため、ナットの回転に伴うボルトの回転を抑制することができる、としている。
【先行技術文献】
【特許文献】
【０００４】
【特許文献１】実開平４−８４９０９号公報
【特許文献２】特公昭６０−３２０４８号公報
【発明の概要】
【発明が解決しようとする課題】
【０００５】
上述した特許文献１に記載された構成では、回り止めプレートとフランジとを当接させることにより、ナットの回転に伴うボルトの回転を阻止している。このような構成は、ボルトに対してナットを回転させる場合には有利である。しかしながら、ボルトを回転させる場合には、回り止めプレートがフランジに当接してボルトの回転を阻止するため、締め付けの作業性が悪化する可能性がある。また、上記の回り止めプレートはボルトに一体化されていないため、例えば振動や衝撃などに起因してボルトをその締結方向とは反対方向に回転させる力が、ボルトと回り止めプレートとの間に生じる摩擦力よりも大きい場合には、ボルトの回転を阻止することができず、ボルトやナットが回転してしまう可能性がある。
【０００６】
また、特許文献２に記載された共回り防止具は、複数のボルトにナットを締め付ける場合にボルトの回転を抑制することができるが、ボルトにナットを締め付けた後には取り外される。つまり、共回り防止具は、上述したボルトの締結後に、ボルトの回転を抑制するようには構成されていない。そのため、特許文献１に記載された構成と同様に、締結後に、例えば振動や衝撃などに起因してボルトやナットが回転してしまう可能性がある。
【０００７】
この発明は上記の技術的課題に着目してなされたものであって、通常時はボルトの回転を阻止することができ、かつ、ボルトの着脱作業に支障のないボルトの回り止め構造を提供することを目的とするものである。
【課題を解決するための手段】
【０００８】
上記の目的を達成するために、この発明は、被締結部に締結されるボルトの回り止め構造において、前記被締結部と締結具が外嵌させられる前記ボルトの頭部とのいずれか一方に設けられた止め部と、前記被締結部と前記頭部とのいずれか他方に、前記止め部に向けて弾性力によって突出することにより前記止め部に係合して前記ボルトを回り止めする弾性部材とを備え、前記ボルトの頭部に前記締結具を外嵌させることにより、前記弾性部材を前記ボルトの半径方向に変形させて前記止め部と前記弾性部材との係合状態を解除するように構成されていることを特徴とするものである。
【発明の効果】
【０００９】
この発明によれば、ボルトの頭部に締結具が嵌合した場合には、弾性部材がボルトの半径方向に変形することにより弾性部材と止め部との係合状態が解除される。そのため、締結具によってボルトを被締結部に着脱させる場合には、弾性部材によってボルトの回転が抑制されることがなく、上述した着脱のための作業に支障がない。また、被締結部にボルトを締結させ、その頭部から締結具を取り外した場合には、弾性部材の弾性力によって止め部と弾性部材とが係合させられる。これによりボルトの回転が抑制される。つまり、ボルトと被締結部との間に生じる摩擦力に加えて、上述した止め部と弾性部材との係合によってもボルトの回転を抑制することができる。
【図面の簡単な説明】
【００１０】
【図１】この発明に係るボルトの回り止め構造の一例を示す図であって、（ａ）はボルトの頭部に締結具が嵌合している状態を示し、（ｂ）はボルトの頭部から締結具を取り外した状態を示している。
【図２】この発明におけるボルトの一部を示す斜視図である。
【図３】この発明における弾性部材の他端部を拡大して示す図である。
【図４】図１に示すボルトの頭部に締結具が嵌合している場合における弾性部材の他端部と止め部との間隔を示す図である。
【図５】図１に示すボルトの頭部から締結具が取り外されている場合における弾性部材の他端部と止め部との間隔を示す図である。
【図６】この発明に係るボルトの回り止め構造の他の例を示す図であって、（ａ）はボルトの頭部に締結具が嵌合している状態を示し、（ｂ）はボルトの頭部から締結具を取り外した状態を示している。
【図７】この発明に係るボルトの回り止め構造の更に他の例を示す図であって、（ａ）はボルトの頭部に締結具が嵌合している状態を示し、（ｂ）はボルトの頭部から締結具を取り外した状態を示している。
【発明を実施するための形態】
【００１１】
つぎにこの発明を具体的に説明する。図１に、この発明に係るボルトの回り止め構造の一例を示してあり、図１の（ａ）は、ボルトの頭部に締結具が嵌合している状態を示し、図１の（ｂ）はボルトの頭部から締結具を取り外した状態を示している。ここに示す例では、ボルト１が固定部である被締結部２に締結されている。そのボルト１は、例えば六角柱形状の頭部３と、雄ネジが形成されたネジ部４とを備えている。また、その頭部３におけるネジ部４とは反対側に、図２に示すように、円柱形状の取付部５が設けられている。
【００１２】
その取付部５の直径は、頭部３における内接円の直径とほぼ同じか若干小さく形成されている。また、取付部５にはその半径方向に延びる溝部６が形成されている。この溝部６にクランク状に屈曲させられた板ばね７の一端部７ａが小径頭のボルト８によって固定されている。板ばね７の他端部７ｂ側は、ボルト１の半径方向で外側に延びており、その板ばね７の長手方向における取付部５や頭部３の縁部に相当する部分で、図１の上下方向で下方に、僅かに折り曲げられている。この折り曲げられている部分を以下の説明では第１屈曲部７ｃと称する。また、板ばね７は、後述する締結具を頭部３に外嵌させた場合に、その第１屈曲部７ｃで折り曲げられるようになっている。さらに板ばね７は、上記の第１屈曲部７ｃよりも他端部７ｂ側の部分で、図１の上下方向で上方にすなわち第１屈曲部７ｃ側に折り曲げられている。この折り曲げられている部分を以下の説明では第２屈曲部７ｄと称する。それらの第１屈曲部７ｃと第２屈曲部７ｄとの間隔は、図１に示す例では、頭部３と取付部５とを合わせた高さとほぼ同じに形成されている。また第２屈曲部７ｄと他端部７ｂとの間隔は、例えば後述する締結具の先端部の肉厚とほぼ同じに形成されている。
【００１３】
さらに、図３に示すように、他端部７ｂの幅方向での両角部７ｅ，７ｆのうち、ボルト１を締結する場合における回転方向側の一方の角部７ｅが、板ばね７の長手方向で、他方の角部７ｆよりも一端部７ａ側に形成されている。つまり、各角部７ｅ，７ｆは、非対称に形成されており、板ばね７の他端部７ｂをその弾性力によって半径方向に突出させた場合における一端部７ａと一方の角部７ｅとの間隔よりも、一端部７ａと他方の角部７ｆとの間隔が長くなっている。これは、後述するように、ボルト１の頭部３に締結具が嵌合した場合には、上記の一方の角部７ｅが後述する回り止め部に当接しないようにするためである。これに対して頭部３から締結具が取り外された場合には、他方の角部７ｆと回り止め部とが当接するようになっている。なお、上述したボルト１を締結する場合におけるボルト１の回転方向を、図３に矢印Ａで示してある。
【００１４】
上述した被締結部２には、図１に示すように、ネジ部４の外径よりも若干大きいボルト孔９が形成されており、そのボルト孔９にネジ部４が貫通させられている。図１に示す例では、ボルト１の頭部３と被締結部２との間に座金１０が配置され、さらに、その座金１０と被締結部２との間に、回り止め部材１１が設けられている。その回り止め部材１１は、座金１０と被締結部２との間に配置される平板部１２と、その平板部１２に対して垂直に設けられ、かつ、上述した板ばね７の他端部７ｂが当接するフランジ部１３とによって構成されており、全体としてＬ型に形成されている。上記の平板部１２には、フランジ部１３に接近してネジ部４が貫通されるボルト孔１４が形成されており、それらのボルト孔９，１４が互いに重なり合うように、被締結部２上に回り止め部材１１が配置されている。上記のボルト孔１４は、ボルト孔９とほぼ同じかそれよりも若干小さく形成されている。上述した板ばね７がこの発明における弾性部材に相当し、回り止め部材１１や回り止め部材１１のフランジ部１３がこの発明における止め部に相当する。
【００１５】
つぎに、上記構成のボルト１の回り止め構造の作用について説明する。ボルト１の頭部３に締結具１５を嵌め込んでいくと、第１屈曲部７ｃで板ばね７が屈曲させられ、その結果、板ばね７における第１屈曲部７ｃよりも他端部７ｂ側が頭部３の外周面に沿って配置される。また締結具１５の先端部１５ａが他端部７ｂの当接することにより、締結具１５への頭部３の挿入が停止する。板ばね７の他端部７ｂの長さは、上述したように、先端部１５ａの肉厚とほぼ同じ長さに形成されているため、他端部７ｂは締結具１５の外周側に突き出ない。これが、図１の（ａ）や図４に示す状態であり、この状態では、図４に示すように、他端部７ｂの一方の角部７ｅとフランジ部１３との間に隙間が形成されている。そのため、例えば締結具１５によって被締結部２にボルト１を締結させる場合に、これらの部材７，１１同士が当接せず、その作業に支障が生じない。これは、締結具１５によって被締結部２からボルト１を外す場合も同様である。なお、上述した締結具１５としては、例えばハブナットレンチやメガネレンチなどのボルト１の頭部３の外側にかぶさるように嵌合するものが挙げられる。また、ボルト１を被締結部２に締結する場合におけるボルト１の回転方向を、図４に矢印Ａで示し、その締結方向とは反対の方向を矢印Ｂで示してある。
【００１６】
これに対して、締結具１５を頭部３から取り外した状態が、図１の（ｂ）や図５に示す状態である。この状態では、板ばね７の弾性力によって他端部７ｂ側がボルト１の半径方向で外側に延びている。具体的には、他端部７ｂがフランジ部１３に当接可能な位置まで延びている。そのため、ボルト１がその締結方向とは反対の方向に回転する場合すなわちボルト１が緩む場合に、他端部７ｂにおける他方の角部７ｆとフランジ部１３とが当接する。これによりボルト１の回転が抑制される。少なくとも１回転以上のボルト１の回転が抑制される。なお、ボルト１を被締結部２に締結する場合におけるボルト１の回転方向を、図５に矢印Ａで示し、その締結方向とは反対の方向を矢印Ｂで示してある。
【００１７】
図６は、この発明に係るボルトの回り止め構造の他の例を示しており、ここに示す例は、板ばねによってボルトの頭部を挟み付けることにより、ボルトの回転を抑制するように構成した例である。ボルト１６は、図６に示すように、角柱形状の頭部１７と、雄ネジが形成されたネジ部１８とによって構成されている。上記の板ばね１９は、その中央部にネジ部１８が貫通するボルト孔１９ａが形成されている。板ばね１９の各端部１９ｂ，１９ｃは、上記のボルト孔１９ａ側に向けてロール状に湾曲されている。また、ボルト孔１９ａにネジ部１８を貫通させ、かつ、頭部１７に締結具１５が嵌合していない状態では、図６の（ａ）に示すように、その弾性力によって各端部１９ｂ，１９ｃと頭部１７とが係合もしくは当接するように構成されている。さらに、上記構成の板ばね１９は被締結部２に対して例えばリベットや上述した回り止め部材１１などによって回り止めあるいは固定される。ここに示す例では、板ばね１９は回り止め部材１１によって被締結部２に回り止めされている。具体的には、板ばね１９と被締結部２との間に、回り止め部材１１が設けられており、その回り止め部材１１のフランジ部１３と板ばね１９の端部１９ｂもしくは端部１９ｃとが当接するように構成されている。
【００１８】
つぎに、図６に示す構成のボルト１６の回り止め構造の作用について説明する。先ず、ボルト１６の頭部１７に締結具１５を嵌合させると、その先端部１５ａによって板ばね１９の各端部１９ｂ，１９ｃがボルト１６の半径方向で外側に向けて屈曲させられる。これが、図６の（ａ）に示す状態であり、この状態では、板ばね１９によってボルト１６の頭部１７が挟み付けられていない。そのため、締結具１５によってボルト１６を回転させすなわち締結させることができるので、支障なくその作業を行うことができる。なお、締結具１５の回転に伴って板ばね１９が回転すると、回り止め部材１１のフランジ部１３と、板ばね１９の端部１９ｂもしくは端部１９ｃとが当接するので、板ばね１９の回転が抑制される。少なくとも１回転以上の回転が抑制される。
【００１９】
これに対して、頭部１７から締結具１５を取り外すと、図６の（ｂ）に示すように、板ばね１９の各端部１９ｂ，１９ｃがボルト１６の半径方向で内側に変形し、その弾性力によって頭部１７が挟み付けられる。つまりボルト１６と板ばね１９とが一体化される。そのため、ボルト１６がその締結方向とは反対の方向に回転すると、そのボルト１６と共に板ばね１９も回転する。しかしながら、板ばね１９が回転すると、上述したように、板ばね１９の端部１９ｂもしくは端部１９ｃとフランジ部１３とが当接する。これによりボルト１６および板ばね１９の回転が抑制される。少なくとも１回転以上のボルト１４および板ばね１７の回転が抑制される。
【００２０】
図７は、この発明に係るボルトの回り止め構造の更に他の例を示しており、ここに示す例は、回り止め部材に当接してボルトの回転を阻止する部材を、ボルトの頭部に収容可能に構成した例である。ボルト２０は、図７に示すように、例えば、角柱形状の頭部２１と、雄ネジが形成されたネジ部２２とを備えている。その頭部２１の外周面に、ボルト２０の半径方向に凹んだ凹部２３が形成されており、その凹部２３の底部にバネ２４を介して係止片２５が取り付けられている。その係止片２５には、図７の上下方向で上側に傾斜面２６が形成されており、その傾斜面２６に締結具１５の先端部１５ａが当接するように構成されている。つまり、係止片２５は、その傾斜面２６に沿って先端部１５ａを移動させることにより、図７の左右方向に移動して凹部２３内に収容されるように構成されている。そしてボルト２０の頭部２１から締結具１５を取り外すと、バネ２４が伸張し、これにより係止片２５が凹部２３内から回り止め部材１１のフランジ部１３に当接可能な位置まで突き出るようになっている。なお、図７に示す例では、バネ２４および係止片２５がこの発明における弾性部材に相当する。
【００２１】
つぎに、図７に示す構成のボルト２０の回り止め構造の作用について説明する。ボルト２０の頭部２１に締結具１５を嵌め込んでいくと、上述したように、その先端部１５ａが傾斜面２６に当接し、また、バネ２４が収縮する。これにより係止片２５が凹部２３の底部側に移動する。そして、締結具１５にボルト２０の頭部２１の全体が挿入されると、図７の（ａ）に示すように、係止片２５が凹部２３内に収容される。この状態では、係止片２５の側面と回り止め部材１１のフランジ部１３とが当接しないので、締結具１５によってボルト２０を容易に回転させることができる。つまり支障なくその着脱作業を行うことができる。
【００２２】
これに対して、頭部２１から締結具１５を取り外すと、図７の（ｂ）に示すように、バネ２４の弾性力によって係止片２５が凹部２３から突き出る。その状態で、ボルト２０がその締結方向とは反対の方向に回転すると、ボルト２０と共に係止片２５が回転しその側面が、回り止め部材１１のフランジ部１３に当接する。これにより、ボルト２０の回転が抑制される。少なくとも１回転以上のボルト２０の回転が抑制される。
【００２３】
したがって、この発明に係るボルトの回り止め構造によれば、ボルト１，２０を被締結部２に着脱させるために、ボルト１，２０に締結具１５を嵌合させると、板ばね７および係止片２５は回り止め部材１１のフランジ部１３から離隔し、ボルト１，２０を回り止めしない。またボルト１６に締結具１５を嵌合させると、板ばね１９の両端部１９ｂ，１９ｃがボルト１６から離隔し、ボルト１６を回り止めしない。そのため、これらのボルト１，１６，２０の着脱作業を容易に行うことができる。そしてボルト１，１６，２０を締結させた後すなわち通常時においては、板ばね７および係止片２５は回り止め部材１１のフランジ部１３に係合もしくは当接することにより、ボルト１，２０を回り止めする。また板ばね１９はボルト１６の頭部１７を挟み付けることによりボルト１６に一体化され、かつ、回り止め部材１１のフランジ部１３に係合もしくは当接することによりボルト１６を回り止めする。そのため、この発明に係るボルトの回り止め構造によれば、例えば振動や衝撃に起因してボルト１，１６，２０をその締結方向とは反対方向に回転させる力が生じ、これがボルト１，１６，２０と被締結部２との間の摩擦力よりも大きい場合であっても、ボルト１，１６，２０が回転することを抑制することができる。少なくとも１回転以上にボルト１，１６，２０が回転することを抑制することができる。
【符号の説明】
【００２４】
１…ボルト、  ２…被締結部、  ３…頭部、  ７…板ばね、  １３…回り止め部材のフランジ部、  １５…締結具。
【図１】
2015117756.tif 000003
【図２】
2015117756.tif 000004
【図３】
2015117756.tif 000005
【図４】
2015117756.tif 000006
【図５】
2015117756.tif 000007
【図６】
2015117756.tif 000008
【図７】
2015117756.tif 000009